(57)【要約】【課題】奥行サイズを縮小できる液体噴射装置を提供する。【解決手段】ノズル２２を有して、ノズル２２から液体を噴射するように構成される液体噴射ヘッド２３と、ノズル２２が開口する閉空間を形成可能なキャップ３１と、キャップ３１に接続される排出流路３２と、排出流路３２の途中に配置され、キャップ３１内を吸引する吸引動作を実行可能な吸引機構３３と、排出流路３２の下流端が接続される排出部４１と、を備える。排出部４１に対する排出流路３２の接続部３２ｃは吸引機構３３よりも低い位置に配置される。排出流路３２のうち吸引機構３３と接続部３２ｃとの間にある下流流路３２ｂは、吸引機構３３と鉛直方向に重ならない配置領域を通って、吸引機構３３の下方に引き回される。【選択図】図１
2018094801.tif 000002
【特許請求の範囲】
【請求項１】
ノズルを有して、前記ノズルから液体を噴射するように構成される液体噴射ヘッドと、
前記ノズルが開口する閉空間を形成可能なキャップと、
前記キャップに接続される排出流路と、
前記排出流路の途中に配置され、前記キャップ内を吸引する吸引動作を実行可能な吸引機構と、
前記排出流路の下流端が接続される排出部と、
を備え、
前記排出部に対する前記排出流路の接続部は前記吸引機構よりも低い位置に配置され、
前記排出流路のうち前記吸引機構と前記接続部との間にある下流流路は、前記吸引機構と鉛直方向に重ならない配置領域を通って、前記吸引機構の下方に引き回される
ことを特徴とする液体噴射装置。
【請求項２】
前記吸引機構の下方に引き回された前記下流流路は、前記吸引機構の下方で湾曲しながら方向転換する
ことを特徴とする請求項１に記載の液体噴射装置。
【請求項３】
前記吸引動作により排出される廃液を収容可能な廃液収容体が着脱可能に装着される装着部を備え、
前記装着部は、前記排出部と、前記排出流路のうち前記配置領域を通る前記下流流路が係合可能な案内部が設けられる壁と、を有する
ことを特徴とする請求項１または請求項２に記載の液体噴射装置。
【請求項４】
前記キャップ及び前記吸引機構を支持する支持部材を備え、
前記接続部は、前記支持部材より低い位置に配置され、
前記下流流路は、前記支持部材と鉛直方向に重ならない領域を通って、前記支持部材の下方に引き回される
ことを特徴とする請求項１に記載の液体噴射装置。
【請求項５】
前記支持部材の下方に引き回された前記下流流路は、前記支持部材の下方で湾曲しながら方向転換する
ことを特徴とする請求項４に記載の液体噴射装置。
【請求項６】
前記吸引動作により排出される廃液を収容可能な廃液収容体が着脱可能に装着される装着部を備え、
前記装着部は、前記排出部と、前記排出流路のうち前記配置領域を通る前記下流流路が係合可能な案内部が設けられる壁と、を有する
ことを特徴とする請求項４または請求項５に記載の液体噴射装置。
【請求項７】
前記支持部材は、引き回される前記排出流路が係合可能な半円形のガイドを有する
ことを特徴とする請求項４から請求項６のうちいずれか一項に記載の液体噴射装置。
【請求項８】
前記接続部の少なくとも一部は、前記吸引機構の下方に配置される
ことを特徴とする請求項１から請求項７のうちいずれか一項に記載の液体噴射装置。
【請求項９】
前記吸引動作により排出される廃液を収容可能な廃液収容体が着脱可能に装着される装着部を備え、
前記装着部の手前側部分が前記吸引機構の奥側部分と鉛直方向に重なる態様で、前記装着部と前記吸引機構は奥行方向に並んで配置される
ことを特徴とする請求項１から請求項８のうちいずれか一項に記載の液体噴射装置。
【請求項１０】
前記排出部、前記吸引機構及び前記キャップを収容する筐体を備え、
前記キャップは、前記排出流路の上流端が接続される吸引部を有して、前記吸引部が前記筐体の外に向くように配置され、
前記排出部、前記吸引機構及び前記キャップは、前記吸引部が向く方向とは異なる方向に並ぶように配置される
ことを特徴とする請求項１から請求項９のうちいずれか一項に記載の液体噴射装置。
【発明の詳細な説明】
【技術分野】
【０００１】
本発明は、プリンターなどの液体噴射装置に関する。
【背景技術】
【０００２】
液体噴射装置の一例として、キャップと、キャップ内を吸引するポンプと、廃液タンクとを奥行方向に並べて配置したインクジェット式のプリンターがある（例えば、特許文献１）。
【先行技術文献】
【特許文献】
【０００３】
【特許文献１】特開２００７−２９６７５７号公報
【発明の概要】
【発明が解決しようとする課題】
【０００４】
上記のように、キャップ、ポンプ及び廃液タンクを奥行方向に並べると、装置の奥行サイズが大きくなる。本発明の課題は、奥行サイズを縮小できる液体噴射装置を提供することである。
【課題を解決するための手段】
【０００５】
上記課題を解決する液体噴射装置は、ノズルを有して、前記ノズルから液体を噴射するように構成される液体噴射ヘッドと、前記ノズルが開口する閉空間を形成可能なキャップと、前記キャップに接続される排出流路と、前記排出流路の途中に配置され、前記キャップ内を吸引する吸引動作を実行可能な吸引機構と、前記排出流路の下流端が接続される排出部と、を備え、前記排出部に対する前記排出流路の接続部は前記吸引機構よりも低い位置に配置され、前記排出流路のうち前記吸引機構と前記接続部との間にある下流流路は、前記吸引機構と鉛直方向に重ならない配置領域を通って、前記吸引機構の下方に引き回される。
【図面の簡単な説明】
【０００６】
【図１】液体噴射装置の一実施形態の全体構成図。
【図２】図１における２−２線矢視断面図。
【図３】図１の液体噴射装置が備えるメンテナンス装置の斜視図。
【図４】図１における４−４線矢視断面図。
【図５】図１における５−５線矢視断面図。
【図６】液体噴射装置の変更例の全体構成図。
【発明を実施するための形態】
【０００７】
以下、液体噴射装置の実施形態について、図を参照して説明する。液体噴射装置は、例えば、用紙などの媒体に液体の一例であるインクを噴射することによって記録（印刷）を行うインクジェット式のプリンターである。
【０００８】
図１に示すように、液体噴射装置１１は、使用場所に設置された状態で、高さ、奥行及び幅としてそれぞれ所定の長さを有する筐体１２を備える。筐体１２は、底壁１３と、前壁１４と、後壁１５と、奥行方向及び重力方向に沿って延びる側壁１６，１７と、を有する。
【０００９】
本実施形態において、幅方向と奥行方向は実質的に水平であり、筐体１２が水平面上に置かれているものとして重力の方向をＺ軸で示す。奥行方向の奧側（後側）から手前側（前側）に向かう方向（前方）をＹ軸で示す。幅方向は、Ｚ軸及びＹ軸と交差するＸ軸で示す。Ｘ軸、Ｚ軸及びＹ軸は、それぞれ幅、高さ及び奥行の長さを示す座標軸となる。
【００１０】
筐体１２の幅方向の一端側（図１では右端側となる側壁１６側）には、前方に向けて突出する態様で収容部１８が配置される。本実施形態において、幅方向の一端側をホーム側といい、他端側（側壁１７側）を反ホーム側という。収容部１８には、液体を収容可能な液体収容体２０が幅方向に並ぶ態様で複数収容される。液体収容体２０は、前側が後側よりも階段状に高くなっている。液体収容体２０には、液体を注入可能な注入口２０ａを設けてもよい。注入口２０ａは、液体収容体２０において前壁１４より前方に突出する部分に設けると、注入の作業がしやすくなる。
【００１１】
筐体１２内には、液体噴射ヘッド２３と、液体噴射ヘッド２３を保持するキャリッジ２４と、キャリッジ２４の移動を案内するガイド軸２５と、キャリッジ２４と液体収容体２０をつなぐ供給流路２６と、メンテナンス装置３０と、装着部４０と、が収容される。液体噴射ヘッド２３は複数のノズル２２と、ノズル２２が開口する開口面２３ａとを有して、前方に向けて搬送される媒体Ｓに対して、ノズル２２から液体を噴射するように構成される。
【００１２】
筐体１２内において、幅方向の中央付近には、媒体Ｓの搬送路２７が形成される。搬送路２７において、液体噴射ヘッド２３が液体を噴射する領域には、媒体Ｓを支持可能な支持台２８が配置される。前壁１４には、印刷済みの媒体Ｓを筐体１２の外に排出するための排出口１４ａが形成される。
【００１３】
メンテナンス装置３０は、支持台２８よりホーム側に配置される。メンテナンス装置３０の前方には収容部１８が配置され、メンテナンス装置３０の後方には装着部４０が配置される。すなわち、収容部１８、メンテナンス装置３０及び装着部４０は、奥行方向の手前から奥に向けて順番に並ぶ。
【００１４】
メンテナンス装置３０は、キャップ３１と、キャップ３１に上流端が接続される排出流路３２と、排出流路３２の途中に配置される吸引機構３３と、開口面２３ａを払拭可能な払拭部材３４と、キャップ３１を保持するスライダー３５と、支持部材３６と、を備える。吸引機構３３は、キャップ３１内を吸引する吸引動作を実行可能に構成される。スライダー３５は、その下方に配置される支持部材３６に対して相対移動可能に設けられる。支持部材３６は、払拭部材３４及び吸引機構３３を支持するとともに、スライダー３５を介してキャップ３１を支持することによって、メンテナンス装置３０の構成部材をユニット化する。
【００１５】
スライダー３５は、幅方向におけるホーム側の端に、上方に突出する係合突部３５ａを有する。そして、ホーム側に向けて移動するキャリッジ２４が係合突部３５ａに係合すると、キャリッジ２４の移動に伴ってスライダー３５が斜め上に移動し、キャップ３１が液体噴射ヘッド２３に接触して、ノズル２２が開口する閉空間を形成する。このようにキャップ３１が閉空間を形成する動作をキャッピングという。キャッピング時のキャップ３１及びスライダー３５の位置を図１において二点鎖線で示す。キャッピング時に吸引機構３３が駆動すると、ノズル２２を通じて液体噴射ヘッド２３内が吸引される。このように、ノズル２２を通じて吸引を行い、液体噴射ヘッド２３内の液体を排出する動作を、吸引クリーニングという。
【００１６】
装着部４０には、廃液収容体５０が着脱可能に装着される。廃液収容体５０は、吸引動作により排出される廃液を収容可能な容器である。後壁１５には、廃液収容体５０を筐体１２内に挿入するための挿入口１５ａが開口する。廃液収容体５０は、図１に二点鎖線で示すように、後方から前方に向けて移動しながら筐体１２内に挿入されて、装着部４０に装着される。
【００１７】
装着部４０は、排出流路３２の下流端が接続される排出部４１と、案内部４２ａが設けられる壁４２と、装置側端子４３と、を有する。廃液収容体５０は、廃液を導入可能な導入部５１と、端子部５３を有するＩＣチップ５４と、を備える。廃液収容体５０が装着部４０に装着されると、導入部５１に排出部４１が挿入されるとともに、端子部５３が装置側端子４３に接続される。
【００１８】
排出流路３２のうち、排出部４１と重なる部分を接続部３２ｃといい、吸引機構３３と接続部３２ｃとの間にある部分を下流流路３２ｂといい、吸引機構３３とキャップ３１との間にある部分を上流流路３２ａという。排出流路３２のうち、少なくとも下流流路３２ｂと上流流路３２ａは撓み変位可能なチューブで形成される。
【００１９】
キャップ３１は、上流流路３２ａの上流端が接続される吸引部３１ａを有する。キャップ３１は、吸引部３１ａが筐体１２の外（ホーム側）に向くように配置するとよい。この場合、排出部４１、吸引機構３３及びキャップ３１は、吸引部３１ａが向く幅方向とは異なる奥行方向に並ぶように配置される。この構成によれば、筐体１２の外側から吸引部３１ａに対して上流流路３２ａを着脱することができるので、製品の組立作業、部品の交換作業またはメンテナンス作業がしやすい。
【００２０】
図２に示すように、排出部４１及び接続部３２ｃは吸引機構３３よりも低い位置に配置される。接続部３２ｃの少なくとも一部は、吸引機構３３の下方に配置することが好ましい。また、装着部４０と吸引機構３３は、装着部４０の手前側部分が吸引機構３３の奥側部分と鉛直方向に重なる態様で、奥行方向に並んで配置されることが好ましい。
【００２１】
図１〜図３に示すように、吸引機構３３の上部から後方に延びる下流流路３２ｂは、吸引機構３３及び支持部材３６と鉛直方向に重ならない配置領域（例えば、吸引機構３３及び支持部材３６より奥側の領域）を通り、前方に向けて湾曲しながら方向転換した後に、吸引機構３３及び支持部材３６の下方に引き回される。
【００２２】
図２及び図３に示すように、下流流路３２ｂのうち、上記配置領域を通る部分は、壁４２に凹設された案内部４２ａに係合することによって、その位置が固定される。また、案内部４２ａは湾曲した溝状をなし、下流流路３２ｂの案内部４２ａに係合する部分は湾曲している。
【００２３】
図２に示すように、吸引機構３３及び支持部材３６の下方に引き回された下流流路３２ｂは、吸引機構３３及び支持部材３６の下方で湾曲しながら方向転換して後方に向き、その先が接続部３２ｃとなる。
【００２４】
吸引機構３３の上部から延びる排出流路３２の上流流路３２ａは、前方に延びて下方に引き回された後、吸引機構３３とスライダー３５の間で反ホーム側に向けて引き回され、半円状に湾曲してホーム側に方向転換した後、スライダー３５の下方に引き回される。図２に示すように、スライダー３５の下方に引き回された上流流路３２ａは、吸引部３１ａに接続される。
【００２５】
図５に示すように、支持部材３６は、吸引機構３３とスライダー３５の間で引き回される排出流路３２の上流流路３２ａが係合可能な半円形のガイド３６ａを有することが好ましい。この場合、上流流路３２ａはガイド３６ａに沿うことによって、折れ曲がることなく、コンパクトに方向転換される。
【００２６】
図４に示すように、液体収容体２０の注入口２０ａを廃液収容体５０、キャップ３１及び吸引機構３３よりも高い位置に配置すると、液体の注入作業がしやすくなる。また、液体収容体２０が階段状の段差を有する場合、その段差により形成される空間（図４に二点鎖線で示す）を利用して、供給流路２６の延設方向を変更したり、供給流路２６を引き回したりしてもよい。例えば、図４に二点鎖線で示す空間において、供給流路２６を湾曲させて、延設方向を鉛直方向から水平方向に変更してもよい。
【００２７】
次に、以上のように構成された液体噴射装置１１の作用及び効果について説明する。
（１）排出部４１より上方に吸引機構３３を配置することによって、吸引機構３３の下方の空間で排出流路３２を引き回すことができる。
【００２８】
（２）排出部４１と吸引機構３３を上下に重ねることにより、両者を奥行方向に並べる場合よりも、奥行方向のサイズを縮小することができる。
（３）支持部材３６が吸引機構３３及びキャップ３１をユニット化しているので、排出流路３２を引き回すための空間を確保しやすい。
【００２９】
（４）可撓性のあるチューブである排出流路３２は、撓み変位させて方向転換することができる一方で、湾曲時の曲率が小さすぎると、折れ曲がってしまう。その点、排出流路３２を上方から下方に引き回しながら湾曲させることによって、折れ曲がりが抑制される。
【００３０】
（５）下流流路３２ｂの湾曲する部分を案内部４２ａに沿わせることによって、折れ曲がりを抑制しつつ、チューブをコンパクトに引き回すことができる。
（６）下流流路３２ｂを案内部４２ａと係合させることによって、湾曲するチューブがホーム側にひろがらないようにすることができる。これにより、壁４２と下流流路３２ｂを幅方向に隙間なく並べることができる。
【００３１】
（７）奥行方向において、吸引機構３３をキャップ３１と装着部４０の間に配置することによって、上流流路３２ａと下流流路３２ｂとをそれぞれ前方と後方に振り分けて引き回すことができる。
【００３２】
上記実施形態は、以下に示す変更例のように変更してもよい。また、上記実施形態に含まれる構成と下記変更例に含まれる構成とを任意に組み合わせてもよいし、下記変更例に含まれる構成同士を任意に組み合わせてもよい。なお、以下の説明において、既出の構成要素と同様の機能を有するものには同じ符号を付して、重複する説明を省略する。
【００３３】
・液体収容体２０及び廃液収容体５０のうち少なくとも一方を、キャリッジ２４の移動領域よりもホーム側に配置してもよい。この場合、液体収容体２０及び廃液収容体５０のうち少なくとも一方を覆う筐体１２の部分を、側壁１６から外方（方向Ｘの反対方向）に向けて突出させてもよい。このように構成すると、筐体１２の一部分を拡大することによって、液体または廃液の収容量を増やすことができる。
【００３４】
・図６に示す変更例のように、液体収容体２０は、前壁１４に設けた着脱口１４ｂを通じて着脱する構成にしてもよい。また、液体収容体２０に注入口２０ａを設けなくてもよい。
【００３５】
・図６に示す変更例のように、支持部材３６が吸引機構３３を支持しない構成にしてもよい。
・図６に示す変更例のように、筐体１２内において、奥行方向の手前から奧側に向けて順番に、液体収容体２０、廃液収容体５０、キャップ３１及び吸引機構３３を並べてもよい。この場合は、廃液収容体５０は、側壁１６に設けた挿入口１６ａを通じて筐体１２内に着脱するとよい。また、この変更例では、下流流路３２ｂを吸引機構３３及びキャップ３１の下方に引き回して排出部４１に接続するとよい。これにより、吸引機構３３及びキャップ３１の下方の空間を利用して、下流流路３２ｂを引き回すことができる。図６に示す変更例において、排出部４１をキャップ３１及び支持部材３６より低い位置に配置すると、奥行サイズに加えて、高さの抑制にもつながるので、好ましい。
【００３６】
・図６に示す変更例のように、キャリッジ２４の移動領域（図６に二点鎖線で示す）より幅方向の外側（ホーム側）の領域に液体収容体２０及び廃液収容体５０のうち少なくとも一方（またはその一部）が配置されるようにしてもよい。
【００３７】
・図６に示す変更例のように、液体収容体２０及び廃液収容体５０のうち少なくとも一方を覆う筐体１２の部分を、側壁１６から外方に向けて突出させてもよい。このように構成すると、筐体１２の一部分を拡大することによって、液体または廃液の収容量を増やすことができる。
【００３８】
・液体噴射ヘッド２３が噴射する液体はインクに限らず、例えば機能材料の粒子が液体に分散又は混合されてなる液状体などであってもよい。例えば、液晶ディスプレイ、ＥＬ（エレクトロルミネッセンス）ディスプレイ及び面発光ディスプレイの製造などに用いられる電極材や色材（画素材料）などの材料を分散または溶解のかたちで含む液状体を噴射して記録を行う構成にしてもよい。
【００３９】
・媒体Ｓは用紙に限らず、プラスチックフィルムや薄い板材などでもよいし、捺染装置などに用いられる布帛であってもよい。また、媒体ＳはＴシャツなど、任意の形状の衣類等であってもよいし、食器または文具のような任意の形状の立体物であってもよい。
【００４０】
以下に、上述した実施形態及び変更例から把握される技術的思想及びその作用効果を記載する。
［思想１］
ノズルを有して、前記ノズルから液体を噴射するように構成される液体噴射ヘッドと、
前記ノズルが開口する閉空間を形成可能なキャップと、
前記キャップに接続される排出流路と、
前記排出流路の途中に配置され、前記キャップ内を吸引する吸引動作を実行可能な吸引機構と、
前記排出流路の下流端が接続される排出部と、
を備え、
前記排出部に対する前記排出流路の接続部は前記吸引機構よりも低い位置に配置され、
前記排出流路のうち前記吸引機構と前記接続部との間にある下流流路は、前記吸引機構と鉛直方向に重ならない配置領域を通って、前記吸引機構の下方に引き回される
ことを特徴とする液体噴射装置。
【００４１】
この構成によれば、下流流路を吸引機構の下方に引き回すことにより、下流流路と吸引機構を奥行方向に並べる場合よりも、奥行サイズを縮小することができる。
［思想２］
前記吸引機構の下方に引き回された前記下流流路は、前記吸引機構の下方で湾曲しながら方向転換する
ことを特徴とする［思想１］に記載の液体噴射装置。
【００４２】
この構成によれば、吸引機構の下方の空間を利用して、排出流路を引き回すことができる。
［思想３］
前記吸引動作により排出される廃液を収容可能な廃液収容体が着脱可能に装着される装着部を備え、
前記装着部は、前記排出部と、前記排出流路のうち前記配置領域を通る前記下流流路が係合可能な案内部が設けられる壁と、を有する
ことを特徴とする［思想１］または［思想２］に記載の液体噴射装置。
【００４３】
この構成によれば、排出流路を案内部に沿って引き回すことによって、排出流路と装着部とを隙間なく並べることができる。
［思想４］
前記キャップ及び前記吸引機構を支持する支持部材を備え、
前記接続部は、前記支持部材より低い位置に配置され、
前記下流流路は、前記支持部材と鉛直方向に重ならない領域を通って、前記支持部材の下方に引き回される
ことを特徴とする［思想１］に記載の液体噴射装置。
【００４４】
この構成によれば、排出流路の下流流路を支持部材の下方に引き回すことにより、下流流路と支持部材を奥行方向に並べる場合よりも、奥行サイズを縮小することができる。
［思想５］
前記支持部材の下方に引き回された前記下流流路は、前記支持部材の下方で湾曲しながら方向転換する
ことを特徴とする［思想４］に記載の液体噴射装置。
【００４５】
この構成によれば、支持部材の下方の空間を利用して、排出流路引き回すことができる。
［思想６］
前記吸引動作により排出される廃液を収容可能な廃液収容体が着脱可能に装着される装着部を備え、
前記装着部は、前記排出部と、前記排出流路のうち前記領域を通る前記下流流路が係合可能な案内部が設けられる壁と、を有する
ことを特徴とする［思想４］または［思想５］に記載の液体噴射装置。
【００４６】
この構成によれば、排出流路を案内部に沿って引き回すことによって、排出流路と装着部とを隙間なく並べることができる。
［思想７］
前記支持部材は、引き回される前記排出流路が係合可能な半円形のガイドを有する
ことを特徴とする［思想４］から［思想６］のうちいずれか１つに記載の液体噴射装置。
【００４７】
この構成によれば、ガイドに排出流路を係合させることによって、折れ曲がりを抑制しながら、排出流路をコンパクトに方向転換させることができる。
［思想８］
前記接続部の少なくとも一部は、前記吸引機構の下方に配置される
ことを特徴とする［思想１］から［思想７］のうちいずれか１つに記載の液体噴射装置。
【００４８】
この構成によれば、吸引機構の下方の空間で、接続部につながる下流流路を引き回すことができる。
［思想９］
前記吸引動作により排出される廃液を収容可能な廃液収容体が着脱可能に装着される装着部を備え、
前記装着部の手前側部分が前記吸引機構の奥側部分と鉛直方向に重なる態様で、前記装着部と前記吸引機構は奥行方向に並んで配置される
ことを特徴とする［思想１］から［思想８］のうちいずれか１つに記載の液体噴射装置。
【００４９】
この構成によれば、奥行方向に並ぶ装着部と吸引機構の一部を鉛直方向に重ねることによって、両者を合わせた奥行サイズを縮小することができる。
［思想１０］
前記排出部、前記吸引機構及び前記キャップを収容する筐体を備え、
前記キャップは、前記排出流路の上流端が接続される吸引部を有して、前記吸引部が前記筐体の外に向くように配置され、
前記排出部、前記吸引機構及び前記キャップは、前記吸引部が向く方向とは異なる方向に並ぶように配置される
ことを特徴とする［思想１］から［思想９］のうちいずれか１つに記載の液体噴射装置。
【００５０】
この構成によれば、筐体の外側から吸引部に対する排出流路の着脱が可能になる。
【符号の説明】
【００５１】
１１…液体噴射装置、１２…筐体、１３…底壁、１４…前壁、１４ａ…排出口、１４ｂ…着脱口、１５…後壁、１５ａ…挿入口、１６…側壁、１６ａ…挿入口、１７…側壁、１８…収容部、２０…液体収容体、２０ａ…注入口、２２…ノズル、２３…液体噴射ヘッド、２３ａ…開口面、２４…キャリッジ、２５…ガイド軸、２６…供給流路、２７…搬送路、２８…支持台、３０…メンテナンス装置、３１…キャップ、３１ａ…吸引部、３２…排出流路、３２ａ…上流流路、３２ｂ…下流流路、３２ｃ…接続部、３３…吸引機構、３４…払拭部材、３５…スライダー、３５ａ…係合突部、３６…支持部材、３６ａ…ガイド、４０…装着部、４１…排出部、４２…壁、４２ａ…案内部、４３…装置側端子、５０…廃液収容体、５１…導入部、５３…端子部、５４…ＩＣチップ、Ｓ…媒体。
【図１】
2018094801.tif 000003
【図２】
2018094801.tif 000004
【図３】
2018094801.tif 000005
【図４】
2018094801.tif 000006
【図５】
2018094801.tif 000007
【図６】
2018094801.tif 000008